(57)【要約】【課題】  本発明は、簡単な構造で、高速風の中でも安全であり、かつ回転に伴う遠心力によりブレードの回転数をコントロールし、一定の回転数を超えないように、正確な制動作用をすることのできる風車のブレードを提供することを目的としている。【解決手段】  風車における縦長ブレード６に枢着したスポイラ７を、遠心力で開閉して縦長ブレード６の回転速度を制動し、回転時の遠心力で縦長ブレード６の回転数をコントロールする風車のブレード。【選択図】  図２
2011027054.tif 000002
【特許請求の範囲】
【請求項１】
風車における縦長ブレードに枢着したスポイラを、遠心力で開閉して縦長ブレードの回転速度を制動し、回転時の遠心力で縦長ブレードの回転数をコントロールすることを特徴とする風車のブレード。
【請求項２】
前記縦長ブレードの外側面に、スポイラの前縁をヒンジを介して開閉可能に枢着し、かつスポイラを牽引手段で常時は閉止し、一定の回転数を超えたときに、遠心力で外向き回動したスポイラで制動作用を発揮するようにしたことを特徴とする請求項１に記載の風車のブレード。
【請求項３】
前記スポイラの後部に重錘を装着したことを特徴とする請求項１又は２に記載の風車のブレード。                                  
【請求項４】
前記スポイラの後部に装着した重錘の重量を、外部から調節し得るようにしたことを特徴とする請求項３に記載の縦軸風車の翼。
【請求項５】
前記縦長ブレードにおけるスポイラを装着するべき部位に、スポイラを嵌装し得る凹状のスポイラ嵌装部を形成したことを特徴とする請求項１〜４のいずれかに記載の風車のブレード。
【請求項６】
前記縦長ブレードの最大翼厚部にヒンジを設け、前部をヒンジに枢着したスポイラの基部に、開閉突体をブレードの内方向へ向けて突設し、この開閉突体に、ブレード内の牽引手段を連結したことを特徴とする請求項１〜５のいずれかに記載の風車のブレード。
【請求項７】
前記縦長ブレードの後縁に、スポイラの内外方向の回動に応じて移動し得る可動翼を設たことを特徴とする請求項１〜６のいずれかに記載の風車のブレード。
【発明の詳細な説明】
【技術分野】
【０００１】
本発明は、風車のブレートに係り、特に高速風のときでも、ブレードの回転による遠心力で回転数をコントロールし、一定の回転数を維持することができる、風力発電機に適する風車のブレードに関する。
【背景技術】
【０００２】
縦軸風車を使用している風力発電機における縦長のブレードには、一般的に直状板が使用されている。これに対して、例えば特許文献１に開示されているように、低風速でも回転効率の優れたブレードが、本発明の発明者によって開発されている。
【先行技術文献】
【特許文献】
【０００３】
【特許文献１】特開２００５−１２７１８８号公報
【発明の概要】
【発明が解決しようとする課題】
【０００４】
前記風車のブレードは、低速風でも回転効率が高いため、台風などの高速風により過回転して、破損が生じる虞れがあり、確実で安全な制動が大きな課題となっている。
本発明は、簡単な構造で、高速風の中でも安全であり、かつ回転に伴う遠心力によりブレードの回転数をコントロールし、一定の回転数を超えないように、正確な制動作用をすることのできる、風車のブレードを提供することを目的としている。
【課題を解決するための手段】
【０００５】
本発明の具体的な内容は、次の通りである。
【０００６】
（１）  風車における縦長ブレードに枢着したスポイラを、遠心力で開閉して縦長ブレードの回転速度を制動し、回転時の遠心力で縦長ブレードの回転数をコントロールする風車のブレード。
【０００７】
（２）  前記縦長ブレードの外側面に、スポイラの前縁をヒンジを介して開閉可能に枢着し、かつスポイラを牽引手段で常時は閉止し、一定の回転数を超えたときに、遠心力で外向きに回動したスポイラで制動作用を発揮するようにした前記（１）に記載の風車のブレード。
【０００８】
（３）  前記スポイラの後部に重錘を装着した前記（１）又は（２）に記載の風車のブレード。                                  
【０００９】
（４）  前記スポイラの後部に装着した重錘の重量を、外部から調節し得るようにした前記（３）に記載の風車のブレード。
【００１０】
（５）前記縦長ブレードにおけるスポイラを装着するべき部位に、スポイラを嵌装し得る凹状のスポイラ嵌装部を形成した前記（１）〜（４）のいずれかに記載の風車のブレード。
【００１１】
（６）  前記縦長ブレードの最大翼厚部にヒンジを設け、前部をヒンジに枢着したスポイラの基部に、開閉突体を縦長ブレードの内方向へ向けて突設し、この開閉突体に、縦長ブレードに設けた牽引手段を連結した前記（１）〜（５）のいずれかに記載の風車のブレード。
【００１２】
（７）  前記縦長ブレードの後縁に、スポイラの内外方向の回動に応じて移動し得る可動翼を設けた前記（１）〜（６）のいずれかに記載の風車のブレード。
【発明の効果】
【００１３】
本発明によると次のような効果がある。
【００１４】
前記（１）に記載の風車のブレードは、高速風によって縦長ブレードの回転速度が一定速度以上にあがると、遠心力によりスポイラが開いて、回転速度を制動し、回転数が減少する。
風力が減衰すると縦長ブレードの回転数も減退し、スポイラは元の位置に戻る。風速の変化に応じて縦長ブレードの回転速度が変化し、スポイラにかかる遠心力も変化するので、回転時の遠心力により縦長ブレードの回転数は、スポイラの開閉する範囲でコントロールされる。
【００１５】
前記（２）に記載の風車のブレードが高速回転をして、一定以上の回転速度になると、遠心力によってスポイラの後部が外方へ回動するため、抗力を受けて制動作用をするので、回転速度はそれ以上あがらず、風速の低下とともに、遠心力が衰えると、牽引手段の作用によってスポイラは元の位置に復元する。この継続によって、回転数は高速風の中でも一定以上を超えずに一定数を維持するので出力も一定に維持される。
【００１６】
前記（３）に記載の風車のブレードは、縦長ブレードのスポイラに重錘を装着したので、遠心力に敏感に反応するため、高速回転時の制動が効果的となる。
【００１７】
前記（４）に記載の風車のブレードは、スポイラに装着した重錘に対して、外部から複数の小型重錘を着脱可能に装着したので、重錘の総重量の微調整を容易にすることができる。
【００１８】
前記（５）に記載の風車のブレードは、縦長ブレードのスポイラを配設する部位に、スポイラを嵌装する凹状のスポイラ嵌装部を形成したので、通常はスポイラが嵌装部に密接しているため、気流の通過が円滑におこなわれる。また、スポイラが少しでも開くと、嵌装部に気流が入り込み、渦流が生じて制動作用をする。
【００１９】
前記（６）に記載の風車のブレードは、スポイラの基部の内面に開閉突体を内方向へ向けて突設し、開閉突体に牽引手段が連結されているので、牽引手段によってスポイラは閉止されている。牽引手段の収縮力に勝る遠心力がスポイラにかかると、スポイラは開いて、抗力を受けて制動作用をする。
【００２０】
前記（７）に記載の風車のブレードは、縦長ブレードに可動翼を、スポイラと連動して揺動するように配設しているので、スポイラが開くと可動翼も移動して制動効果が早く確実に生じる。
【図面の簡単な説明】
【００２１】
【図１】本発明に係る風車のブレードの実施例１の正面図である。
【図２】図１におけるII-II線横断面図である。
【図３】同じく縦長ブレードの外側面図である。
【図４】同じく実施例２を示す縦長ブレードの横断面図である。
【発明を実施するための形態】
【実施例１】
【００２２】
本発明の実施例１を図面を参照して説明する。なお、ここでいう前後は、縦長ブレードの回転方向に対していう。また風車１は、縦軸風車が示されているが、これに限定されない。
【００２３】
風車１における支柱２の上端に、発電機の筐体３が固定されている。筐体３の中には、図示しない縦軸が立設され、その周囲に発電コイルが環状に配設されている。筐体３の上には、回転体４が前記縦軸の上に回転可能に装着されている。
【００２４】
回転体４の中には、図示しない磁石が、下の発電コイルと対応するように環状に配設されている。回転体４の回転に伴い、磁石の磁力が下の発電コイルに間欠的に作用することによって、発電コイルに発電される。
【００２５】
回転体４の外側面には、放射方向を向く水平の支持腕５が固定されている。各支持腕５の先端部には、垂直の縦長ブレード６が固定されている。各縦長ブレード６の上下端部には、回転体４の方へ向かう先端湾曲部６Ａが形成されている。
【００２６】
図２に示すように、縦長ブレード６は、回転方向の前縁部の翼厚は厚く、後縁へかけて次第に薄く形成されている。先端湾曲部６Ａにおいても同様である。
縦長ブレード６における回転時の外側面６Ｂには、最大翼厚部６Ｃから後縁へかけて、縦長のスポイラ嵌装部６Ｄが形成されている。
【００２７】
スポイラ嵌装部６Ｄの前端部にヒンジ８が設けられ、例えばＦＲＰからなる板状のスポイラ７がヒンジ８を介して開閉可能に枢着されている。ヒンジ８はスポイラ７の上下方向へ複数設けられている。スポイラ７の基部には、内方に突出する開閉突体９が、スポイラ７の上下に複数形成されている。    
【００２８】
縦長ブレード６の前縁部には空洞６Ｅが形成され、空洞６Ｅの前内壁と開閉突体９との間には、弾性牽引手段１０が配設されている。弾性牽引手段１０は、例えばコイルバネからなり、常時は開閉突体９を前方向へ牽引し、スポイラ７をスポイラ嵌装部６Ｄに密接させている。
【００２９】
スポイラ７の後縁部には、板状の重錘１１が装着されている。重錘１１は、例えば金属板からなり、スポイラ７に重合または埋設されている。また、重錘１１には、適切のビス、あるいは小さなボルト（図示せず）を螺合させて、重量を調節し得るようにしてある。
【００３０】
風を受けて縦長ブレード６が回転すると、縦長ブレード６の内側面に当る気流は上下方向へ拡散し、先端湾曲部６によって拡散が抑止されて、回転力が高められる。回転速度に応じて縦長ブレード６に遠心力が発生する。
【００３１】
遠心力が小さなうちは、弾性牽引手段１０の収縮力によって、開閉突体９を牽引して縦長ブレード６はスポイラ嵌装部６Ｄに固定されているが、例えば風速１２ｍ／ｓ以上で回転すると、スポイラ７の後縁部が遠心力によって、弾性牽引手段１０の牽引力に抗して外側に開く。
【００３２】
すなわち、重錘１１の重量は、弾性牽引手段１０の収縮力と、回転時に縦長ブレード６に生じる遠心力とを参照して定められている。  
スポイラ７の後縁部が外側に開くと、抗力によって、ブレーキ作用が生じ、縦長ブレード６の回転速度が低下するので、過回転をすることはない。
【００３３】
風速が低下して、縦長ブレード６の回転速度が低下すると、スポイラ７に対する遠心力が低下するので、弾性牽引手段１０の収縮力によって、開閉突体９が牽引されて、スポイラ７の後縁は閉じる方向へ移動する。風速が例えば１２ｍ／ｓ以下になると、スポイラ７の後縁はスポイラ嵌装部６Ｄ内に完全に閉じる。
【００３４】
このように、風速の高低変化に伴い、縦長ブレード６にかかる遠心力も変化する。この遠心力と弾性牽引手段１０の力関係のバランスによって、スポイラ７が開閉するので、設定した回転数の上限を超えると制動され、風速が低下すると初期の状態に復元するようにし、回転数の上限を一定に保持させることができる。
【実施例２】
【００３５】
図４は、実施例２を示す縦長ブレードの横断平面図である。前例と同じ部位には同じ符号を付して説明を省略する。
この実施例２においては、縦長ブレード１２の後端部に、前後に摺動する摺動杆１３を介して、可動翼１４が装着されている。
【００３６】
可動翼１４の摺動杆１３とスポイラ７の開閉突体９とは連結杆１５で連結されている。そのため、スポイラ７が遠心力で開くと、開閉突体９により、連結杆１５を介して摺動杆１３は押され、可動翼１４は後方向に突出する。
【００３７】
従って、高速風が吹くと、スポイラ７の後部が開いてブレーキをかけると共に、可動翼１４は後方へ突出して、縦長ブレード６の側面に沿って後方へ流動する気流は円滑に流れず、乱気流が生じるので、回転速度は減退する。
【００３８】
また回転している限り、縦長ブレード１２に破損などが生じにくい。風速が低下して回転速度が低下すると、開閉突体９、連結杆１６、摺動杆１３が連動するので、可動翼１４も元の位置に復元する。
【００３９】
なお、可動翼１４は、スポイラ７と同様にヒンジにより枢着して、連結杆１５の作動により旋回できるようにすることができる。またスポイラ７はプロペラにも利用することができる。
【産業上の利用可能性】
【００４０】
この発明は、風力発電機に好ましく利用することができる。
【符号の説明】
【００４１】
１．縦軸風車
２．支柱
３．筐体
４．回転体
５．支持腕
６．縦長ブレード
６Ａ．湾曲部
６Ｂ．外側面
６Ｃ．最大翼厚部
６Ｄ．スポイラ嵌装部
６Ｅ．空洞部
７．スポイラ
８．ヒンジ
９．開閉突体
１０．弾性牽引手段
１１．重錘
１２．縦長ブレード
１３．摺動杆
１４．可動翼
１５．連結杆
【図１】
2011027054.tif 000003
【図２】
2011027054.tif 000004
【図３】
2011027054.tif 000005
【図４】
2011027054.tif 000006